(57)【特許請求の範囲】
【請求項１】
置換基を有していてもよいピロールの金属塩から選ばれたピロール化合物とクロム塩とをハロゲンで置換されていてもよい炭化水素溶媒中で反応させて得られたクロム−ピロリル結合を含むクロム含有化合物、アルキルアルミニウム化合物、及び周期律表のIVＡ，IVＢ，ＶＢ、VIＢ族から選ばれる元素を含むハロゲン含有化合物の少なくとも３成分から調製され、且つこの調製に際してのクロム含有化合物とアルキルアルミニウム化合物との接触はα−オレフィンの存在下に行なわれた触媒の存在下に、α−オレフィンを低重合させることを特徴とするα−オレフィン低重合体の製造方法。
【請求項２】
炭化水素溶媒が、脂肪族又は脂環式飽和炭化水素溶媒である請求項１に記載のα−オレフィン低重合体の製造方法。
【請求項３】
クロム塩が、β−ジケトン、β−ケトカルボン酸又は他のカルボン酸とクロムとの塩であることを特徴とする請求項１または２に記載のα−オレフィン低重合体の製造方法。
【請求項４】
クロム含有化合物、アルキルアルミニウム化合物及びハロゲン含有化合物を、α−オレフィンの存在下に同時に接触させることを特徴とする、請求項１ないし３のいずれかに記載のα−オレフィン低重合体の製造方法。
【請求項５】
アルキルアルミニウム化合物及びハロゲン含有化合物を含む溶液にα−オレフィン及びクロム含有化合物を導入することを特徴とする、請求項１ないし３のいずれかに記載のα−オレフィン低重合体の製造方法。
【請求項６】
クロム含有化合物及びハロゲン含有化合物を含む溶液にα−オレフィン及びアルキルアルミニウム化合物を導入することを特徴とする、請求項１ないし３のいずれかに記載のα−オレフィン低重合体の製造方法。
【請求項７】
クロム含有化合物とアルキルアルミニウム化合物とを、エチレン分圧３．１ｋｇ／ｃｍ2 以上のエチレンの存在下で接触させることを特徴とする、請求項１ないし６のいずれかに記載のα−オレフィン低重合体の製造方法。
【請求項８】
α−オレフィンがエチレンであり、主生成物が１−ヘキセンであることを特徴とする、請求項１ないし７のいずれかに記載のα−オレフィン低重合体の製造方法。
【発明の詳細な説明】
【０００１】
【発明の属する技術分野】
本発明はα−オレフィン低重合体の製造方法に関するものであり、詳しくは、特に、エチレンから１−ヘキセンを主体とした高品質のα−オレフィン低重合体を、安定に、高収率かつ高選択率で製造することができる、工業的有利なα−オレフィン低重合体の製造方法に関するものである。
【０００２】
【従来の技術】
エチレン等のα−オレフィンの低重合方法として、クロム−ピロリル結合を持つクロム含有化合物と有機アルミニウム化合物の組み合わせからなるクロム系触媒を使用する方法が知られている。
クロム−ピロリル結合を持つクロム含有化合物の製法としては、電子供与性溶媒中、クロム塩と金属ピロリドを反応させる方法が知られている（例えば、Ｖ．Ｗ．Ｓｅｉｄｅｌ  ａｎｄ  Ｗ．Ｒｅｉｃｈａｒｄｔ，Ｚ．Ａｎｏｒｇ．Ａｌｌｇ．Ｃｈｅｍ．，４０４，２２５（１９７４）、公開特許公報平３−１２８９０４）。
【０００３】
また、炭化水素溶媒中でクロム−ピロリル結合を持つクロム含有化合物を製造する方法が、南アフリカ特許ＺＡ９３／０３５０中に記載されている。この特許には、クロム化合物、ピロール含有化合物、金属アルキル化合物及びハライド源を共通の溶媒中で混合してクロム系触媒を調製し、次いでこの触媒を使用してα−オレフィンを低重合する方法が提案されている。
一方、本発明者らは、クロム塩とピロール化合物を炭化水素溶媒中で反応させて得られるクロム含有化合物、α−オレフィン、およびアルキルアルミニウムを特定の方法で接触させることにより、α−オレフィンの低重合活性を著るしく向上させる方法を提案した（特開平６−１５７６５５号公報参照）。
【０００４】
【発明が解決しようとする課題】
しかしながら、上記のクロム−ピロリル結合を有するクロム含有化合物の製法のうち、電子供与性溶媒を用いる製法では、生成物の単離操作が煩雑であり、且つα−オレフィンの低重合触媒の成分として用いる場合には、用いた溶媒を十分に留去しなければ触媒活性が低下する欠点を有している。
炭化水素溶媒を用いる南アフリカ特許ＺＡ９３／０３５０に記載された方法では、高い活性及び高い１−ヘキセンの選択率が達成されているが、触媒の安定性が低く、さらに低重合反応を行う際の反応方法が煩雑である為、触媒の貯蔵等を含め工業的に実施するという観点からは、如何にこれらの欠点を克服するかが重要な課題となる。
【０００５】
また、特開平６−１５７６５５号公報に記載された方法では、高い活性及び高い１−ヘキセンの選択率が達成されているが、工業的な製造方法という観点からは、触媒性能が未だ不十分である。
本発明は、上記実情に鑑みなされたものであり、その目的は、工業的に有利に１−ヘキセン等の高品質のα−オレフィン低重合体を安定に、高収率かつ高選択率で製造することができるα−オレフィン低重合体の製造方法を提供することにある。
【０００６】
【課題を解決するための手段】
本発明によれば、クロム含有化合物、アルキルアルミニウム化合物及び周期律表のIVＡ、IVＢ、ＶＢ、VIＢ族から選ばれる元素を含むハロゲン含有化合物の少なくとも３成分から調製された触媒であって、クロム含有化合物として、置換基を有していてもよいピロールの金属塩から選ばれたピロール化合物とクロム塩とを、ハロゲンで置換されていてもよい炭化水素溶媒中で反応させて得られたクロム−ピロリル結合を含むものを用い、且つこのクロム含有化合物とアルキルアルミニウム化合物とをα−オレフィンの存在下に接触させることにより調製された触媒を用いてα−オレフィンを低重合させることにより、高品質のα−オレフィン低重合体を安定に、高収率かつ高選択率で製造することができる。
【０００７】
【発明の実施の形態】
本発明をより詳細に説明すると、本発明で触媒調製に用いるクロム含有化合物は、（ハロ）炭化水素溶媒中でクロム塩とピロール又はその金属塩とを反応させることにより得られたものである。
クロム塩は、一般式
ＣｒＸｎ
（式中、クロムの価数は０価ないし６価であり、Ｘは同一、又は、相互に異なる任意の有機又は無機の基もしくは陰性原子であり、ｎは１ないし６の整数である。）で表される。ｎの数としては２以上が好ましい。有機基としては、炭化水素基、カルボニル基、アルコキシ基、カルボキシル基、β−ジケトナート基、β−ケトカルボキシル基、β−ケトエステル基およびアミド基等が例示される。有機基の炭素数は、通常１〜３０である。炭化水素基としては、アルキル基、シクロアルキル基、アリール基、アルキルアリール基、アラルキル基、シクロペンタジエニル基等が挙げられる。無機基としては、硝酸基、硫酸基などのクロム塩形成基が挙げられ、陰性原子としては酸素、ハロゲン等が挙げられる。
【０００８】
また、上記のクロム化合物と電子供与体からなる錯体も好適に使用することができる。電子供与体としては、窒素、酸素、リンまたは硫黄を含有する化合物の中から選択される。
窒素含有化合物としては、ニトリル、アミン、アミド等が挙げられ、具体的には、アセトニトリル、ピリジン、ジメチルピリジン、ジメチルホルムアミド、Ｎ−メチルホルムアミド、アニリン、ニトロベンゼン、テトラメチレンジアミン、イソプロピルアミン、ヘキサメチルジシラザン、ピロリドン等が挙げられる。
【０００９】
酸素含有化合物としては、エステル、エーテル、ケトン、アルコール、アルデヒド等が挙げられ、具体的には、エチルアセテート、メチルアセテート、テトラヒドロフラン、ジオキサン、ジエチルエーテル、ジメトキシエタン、ジグライム、トリグライム、アセトン、メチルエチルケトン、メタノール、エタノール、アセトアルデヒド等が挙げられる。
リン化合物としては、ヘキサメチルフォスフォルアミド、ヘキサメチルフォスフォラストリアミド、トリエチルホスファイト、トリブチルホスフィンオキシド、トリエチルホスフィン等が挙げられる。
【００１０】
硫黄含有化合物としては、二硫化炭素、ジメチルスルフォキシド、テトラメチレンスルフォン、チオフェン、ジメチルスルフィド等が挙げられる。
これらの電子供与体を含む錯体の例としては、ハロゲン化クロムのエーテル錯体、エステル錯体、ケトン錯体、アルデヒド錯体、アルコール錯体、アミン錯体、ニトリル錯体、ホスフィン錯体、チオエーテル錯体等が挙げられる。
クロム含有化合物の調製に用いるクロム塩としては、炭化水素溶媒に可溶な化合物が好ましく、クロムのβ−ジケトナート塩、カルボン酸塩、β−ケトエステルのアニオンとの塩、β−ケトカルボン酸塩、アミド錯体、カルボニル錯体、カルベン錯体、各種のシクロペンタジエニル錯体、アルキル錯体、フェニル錯体等が挙げられる。これらのいくつかを例示すると、クロム（III)アセチルアセトナート、クロム（III)トリフルオロアセチルアセトナート、クロム（III)ヘキサフルオロアセチルアセトナート、クロム（III)（２，２，６，６−テトラメチル−３，５−ヘプタンジオナート）、Ｃｒ（ＰｈＣＯＣＨＣＯＰｈ）3 （但し、Ｐｈはフェニル基を示す。）、クロム（II）アセテート、クロム（III)アセテート、クロム（III)２−エチルヘキサノエート、クロム（III)ベンゾエート、クロム（III)ナフテネート、Ｃｒ（ＣＨ3 ＣＯＣＨＣＯＯＣＨ3 ）3 、クロム（II）ビス（トリメチルシリル）アミド、Ｃｒ（ＣＯ）6 、（Ｃ6 Ｈ6 ）Ｃｒ（ＣＯ）3 、（ＣＯ）5 Ｃｒ（＝ＣＣＨ3 （ＯＣＨ3 ））、（ＣＯ）5 Ｃｒ（＝ＣＣ6 Ｈ5 （ＯＣＨ3 ））、ＣｐＣｒＣｌ2 （但しＣｐはシクロペンタジエニル基を示す。）、（Ｃｐ＊ＣｒＣｌＣＨ3 ）2 （但しＣｐ＊はペンタメチルシクロペンタジエニル基を示す。）、（ＣＨ3 ）2 ＣｒＣｌ等が挙げられる。これらの中で、特に好ましいのは、β−ジケトナート塩、β−ケトエステルのアニオンとの塩、カルボン酸塩、β−ケトカルボン酸塩等である。
【００１１】
本発明において触媒調製に用いられるクロム含有化合物には、クロム原子及びピロリル基が含まれていればよく、他に有機基又は無機基を有していてもよく、さらに、他の金属を含んでいてもよい。すなわち、以下に述べるクロム含有化合物の製造方法によれば、ＩＡ族、IIＡ族、III Ｂ族、又はIVＢ族の金属との混合物としてクロム化合物が得られる場合があるが、本発明においてはこのような混合物も含めてクロム含有化合物と総称するものとする。クロム含有化合物の調製に用いるピロール化合物は、ピロール若しくは置換ピロールに対応する金属塩すなわち金属ピロリドである。
【００１２】
置換ピロールとしては、２，５−ジメチルピロールの他に、３，４−ジクロロピロール、２，３，４，５−テトラクロロピロール、２−ホルミルピロール、２−アセチルピロール、２，３，４−トリメチルピロール、３，４−ジエチルピロール、テトラヒドロインドール、３，３′，４，４′−テトラメチル−２，２′−ジピロロメタンなどが挙げられる。また、金属ピロリドの金属としては、ＩＡ族、IIＡ族、 IIIＢ族及びIVＢ族から選択されたものが用いられる。好ましい金属ピロリドとしては、リチウムピロリド、ナトリウムピロリド、カリウムピロリド、セシウムピロリド、ジエチルアルミニウムピロリド、エチルアルミニウムジピロリド、アルミニウムトリピロリド、リチウム−２，５−ジメチルピロリド、ナトリウム−２，５−ジメチルピロリド、カリウム−２，５−ジメチルピロリド、セシウム−２，５−ジメチルピロリド、ジエチルアルミニウム−２，５−ジメチルピロリド、エチルアルミニウム−ビス（２，５−ジメチルピロリド）等が挙げられる。
【００１３】
また、リチウム−３，４−ジクロロピロリド、ナトリウム２，３，４，５−テトラクロロピロリド、リチウム−２，３，４−トリメチルピロリド、ジエチルアルミニウム−２，３，４−トリメチルピロリド、ナトリウム−３，４−ジエチルピロリド、ジエチルアルミニウム−３，４−ジエチルピロリド等も用いられる。置換基を有するものを含めて遊離のピロールは、対応する金属ピロリドと比較してクロム塩との反応性が極めて低く、且つ保存中に着色したり沈澱物が生成し易い。従って、クロム含有化合物の調製には金属ピロリドを用いるのが好ましい。クロム塩とピロール化合物とを反応させる際の反応媒体である（ハロ）炭化水素溶媒としては、通常は炭素数３０以下の炭化水素又はハロゲン化炭化水素が用いられる。そのいくつかを例示すると、ｎ−ヘキサン、シクロヘキサン、ｎ−ヘプタン、ｎ−オクタン等の脂肪族および脂環式飽和炭化水素、１−ヘキセン、シクロヘキセン、シクロオクテン等の脂肪族および脂環式不飽和炭化水素、トルエン、ベンゼン、キシレン等の芳香族炭化水素、四塩化炭素、クロロホルム、塩化メチレン、クロロベンゼン、ジクロロベンゼン等のハロゲン化炭化水素などが挙げられる。好ましくは、脂肪族、脂環式又は芳香族炭化水素、及びこれらの混合物が用いられる。
【００１４】
クロム塩とピロール化合物とを（ハロ）炭化水素溶媒の中で反応させる方法としては、所望の比率でクロム塩とピロール化合物とを混合し、好ましくは酸素分子の不存在下、通常は常圧で反応させる。反応は任意の温度で行ない得るが、好ましくは溶媒の沸点以下で加熱しながら行う。所望により別途、超音波を照射しながら反応を行ってもよい。反応時間は特に限定されないが、通常は３０分から４８時間の間である。
【００１５】
反応終了後、反応混合物から溶媒を留去することにより、クロム−ピロリル結合を有するクロム含有化合物を単離することができる。別法として、反応終了後、反応混合物を静置して上澄み液を除去した後、または濾過後、残渣を好ましくは沸点の低い炭化水素、例えばｎ−ヘキサン、で洗浄し、洗浄液を留去することによりクロム含有化合物を単離することもできる。反応溶媒及び洗浄液を留去するには、その沸点により高温または常温下に減圧で保持したり、不活性ガスを流通させる方法等がある。
【００１６】
さらに、クロム塩とピロール化合物とを溶媒中で反応させて得られた溶液ないしは懸濁液を、そのままクロム含有化合物として触媒調製に用いても差し支えない。
なお、クロム含有化合物を無機酸化物等の担体に担持して触媒調製に使用することもできるが、担体に担持させずに使用するのが好ましい。すなわち、本発明において、クロム含有化合物は、後述する特定の接触態様で使用されるが、かかる態様によれば、クロム含有化合物の担体への担持を行わなくとも高い触媒活性が得られる。そして、クロム含有化合物を担体に担持させずに使用することにより、複雑な操作を伴う担体への担持を省略でき、しかも、担体の使用による総触媒使用量（担体と触媒成分の合計量）の増大という問題をも回避することができる。
【００１７】
本発明においては、以上のようにして得られたクロム含有化合物を、アルキルアルミニウム化合物およびハロゲン含有化合物と組み合わせて調製した触媒を用いて、α−オレフィンの低重合反応を行う。アルキルアルミニウム化合物としては、
【００１８】
下記一般式
Ｒ1 m Ａｌ（ＯＲ2 ）n Ｈp Ｘq 
（式中、Ｒ1 及びＲ2 は、炭素数が通常１〜１５、好ましくは１〜８の炭化水素基であって互いに同一であっても異なっていてもよく、Ｘはハロゲン原子を表し、ｍは０＜ｍ≦３、ｎは０≦ｎ＜３、ｐは０≦ｐ＜３、ｑは０≦ｑ＜３であって、しかもｍ＋ｎ＋ｐ＋ｑ＝３である数を表す。）で示されるアルキルアルミニウム化合物が用いられる。例えば次のようなアルキルアルミニウム化合物を用いることができる。
【００１９】
下記一般式
Ｒ1 3 Ａｌ
（式中、Ｒ1 は前記と同じ）で示されるトリアルキルアルミニウム化合物。
【００２０】
下記一般式
Ｒ1 m ＡｌＸ3-m 
（式中、Ｒ1 およびＸは前記と同じ。ｍは１．５≦ｍ＜３）で示されるハロゲン化アルキルアルミニウム化合物。
【００２１】
下記一般式
Ｒ1 m Ａｌ（ＯＲ2 ）3-m 
（式中、Ｒ1 及びＲ2 は前記と同じ。ｍは０＜ｍ＜３、好ましくは１．５≦ｍ＜３）で示されるアルコキシアルキルアルミニウム化合物。
【００２２】
下記一般式
Ｒ1 m ＡｌＨ3-m 
（式中、Ｒ1 は前記と同じ。ｍは０＜ｍ＜３、好ましくは１．５≦ｍ＜３）で示される水素化アルキルアルミニウム化合物。
【００２３】
また、下記一般式
Ｒ1 2 （ＡｌＯ）（Ｒ1 ＡｌＯ）m ＡｌＲ1 2 
（式中、Ｒ1 は前記と同じ。ｍは０〜３０の整数であり特に１０以上が好ましい。）で示されるアルミノキサンも用いることができる。
【００２４】
このようなアルキルアルミニウム化合物のいくつかを例示すること、次の通りである。トリメチルアルミニウム、トリエチルアルミニウム、トリイソブチルアルミニウム、ジエチルアルミニウムモノクロリド、ジエチルアルミニウムエトキシド、ジエチルアルミニウムヒドリド、メチルアルミノキサン、イソブチルアルミノキサン。
【００２５】
また、これらのアルキルアルミニウム化合物は２種以上の混合物として用いることもできる。好ましくは、ポリマーの副生が少ないトリアルキルアルミニウム化合物、特にトリエチルアルミニウムが用いられる。また、トリアルキルアルミニウム化合物と、アルキルアルミニウムモノクロライドやアルキルアルミニウムジクロライド等のハロゲン化アルキルアルミニウム化合物との混合物も好んで用いられる。
【００２６】
本発明において触媒調製に用いるIVＡ，IVＢ，ＶＢ、VIＢ族から選ばれる元素を含むハロゲン含有化合物のハロゲンとしては、塩素、臭素が好適に用いられるが、塩素が好ましい。具体的には、塩化ランタン、四塩化チタン、四塩化ジルコニウム、四塩化ハフニウム、三塩化ホウ素、四塩化炭素、クロロホルム、ジクロロメタン、ジクロロエタン、テトラクロロエタン、アリルクロリド、トリクロロアセトン、ヘキサクロロアセトン、ヘキサクロロシクロヘキサン、１，３，５−トリクロロベンゼン、ヘキサクロロベンゼン、トリチルクロリド、四塩化シラン、トリメチルクロロシラン、四塩化ゲルマニウム、四塩化スズ、トリブチルスズクロリド、ジブチルスズジクロリド、三塩化リン、三塩化アンチモン、トリチルヘキサクロロアンチモネート、五塩化アンチモン、三塩化ビスマス、四臭化炭素、ブロモホルム、ブロモベンゼン、四臭化ケイ素、ヨードメタン、ジヨードメタン、ヘキサフルオロベンゼン、五塩化モリブデン、六塩化タングステン等が挙げられる。これらの化合物のうち、ハロゲン原子の数が多いものが好ましく、また、低重合反応を行う溶媒に可溶の化合物が好ましい。好ましいハロゲン含有化合物の例としては、四塩化炭素、クロロホルム、ジクロロエタン、テトラクロロエタン、トリクロロアセトン、ヘキサクロロアセトン、四塩化チタン、四塩化ゲルマニウム、四塩化スズ等が挙げられる。また、これらの２種以上の混合物を用いることもできる。
【００２７】
本発明においては、上記のクロム含有化合物、アルキルアルミニウム化合物及びハロゲン含有化合物から調製される触媒を使用して、溶液中で、α−オレフィンの低重合を行う。この触媒調製に際しては、クロム含有化合物とアルキルアルミニウム化合物とを、α−オレフィンの存在下に接触させることが必要である。この接触態様を採用することにより、触媒活性が著しく向上し、且つ、三量体物の選択率が非常に高く、また、得られるα−オレフィン低重合体の純度も極めて高いという利点がある。
【００２８】
具体的な接触態様としては、
▲１▼  アルキルアルミニウム化合物及びハロゲン含有化合物を含む溶液中に、α−オレフィンおよびクロム含有化合物を導入する方法、
▲２▼  クロム含有化合物およびハロゲン含有化合物を含む溶液中に、α−オレフィンおよびアルキルアルミニウム化合物を導入する方法、
▲３▼  アルキルアルミニウム化合物を含む溶液中に、α−オレフィン、クロム含有化合物、およびハロゲン含有化合物を導入する方法、
▲４▼  クロム含有化合物を含む溶液中に、α−オレフィン、アルキルアルミニウム化合物、およびハロゲン含有化合物を導入する方法、
▲５▼  α−オレフィン、アルキルアルミニウム化合物、およびハロゲン含有化合物を含む溶液中に、クロム含有化合物を導入する方法、
▲６▼  α−オレフィン、クロム含有化合物、およびハロゲン含有化合物を含む溶液中に、アルキルアルミニウム化合物を導入する方法、
などが挙げられる。これらの場合において、媒体としては通常は反応溶媒が用いられる。また、α−オレフィンとしては、低重合反応に用いるα−オレフィンを用いるのが普通であるが、他のα−オレフィンであってもよい。なお、本発明においては、予じめ触媒を調製して反応系に供給する以外に、反応原料のα−オレフィンの存在する反応系にクロム含有化合物、アルキルアルミニウム化合物及びハロゲン含有化合物を供給して、反応系内で触媒を調製することもできる。すなわち反応帯域に、α−オレフィン及び触媒構成成分をそれぞれ別個に供給して、その場で触媒を調製し、且つ低重合反応を行なわせることができる。α−オレフィンがエチレン、プロピレンのように常温で気体である場合には、これらを含む溶液は取扱いが困難なので、上記のうち▲１▼〜▲４▼の方法によるか又は反応帯域に各触媒成分を供給する方法によるのが好ましい。
【００２９】
クロム含有化合物とアルキルアルミニウム化合物とを、α−オレフィンの不存在下に接触する態様で触媒を調製した場合に、α−オレフィンの低重合反応の活性が低くなる理由及びα−オレフィンの存在が活性を高くする理由は、未だ詳らかではないが、次のように推定される。
すなわち、クロム化合物とアルキルアルミニウム化合物を接触させると、クロム化合物はアルキルアルミニウム化合物によりアルキル化され、更に還元的脱離反応により低原子価錯体へ還元される。この低原子価錯体は配位不飽和錯体である為、極めて不安定な化合物であり、それ単独では容易に分解してしまって、触媒活性を示さなくなる。しかし、α−オレフィンがこの還元反応時に共存すると、この錯体はα−オレフィンをクロム金属上へ取り込み、α−オレフィン低重合反応に適当なオレフィン錯体となる。このオレフィン錯体の生成反応は、共存させるα−オレフィンの量が多い程有利である。すなわち、クロム化合物とアルキルアルミニウム化合物を接触させる際、より高濃度のα−オレフィンを共存させると、より効率的にこのオレフィン錯体が生成する。従って、α−オレフィンがエチレンやプロピレンのように常温で気体の場合には、３．１ｋｇ／ｃｍ2 以上のα−オレフィン分圧の下で両者を接触させるのが好ましい。
【００３０】
高濃度のα−オレフィンを用いる他の利点は、生成したオレフィン錯体の配位オレフィンが、系中に存在する遊離のα−オレフィンと解離平衡状態にある為、オレフィン錯体が更に安定化する点にある。このオレフィン錯体は、希薄なα−オレフィン存在下では、熱、空気、水に対して極めて不安定である。従って、クロム化合物とアルキルアルミニウム化合物とをα−オレフィンの存在下に接触させると同時に低重合反応を開始する態様が最も好ましい。
【００３１】
本発明において用いられる原料のα−オレフィンは、置換、非置換の２〜３０の炭素原子を有するものである。具体例としては、エチレン、プロピレン、ブテン−１、ヘキセン−１、オクテン−１、３−メチルブテン−１，４−メチルペンテン−１等が挙げられる。特に本発明はエチレンの低重合に好適であり、エチレンから三量体である１−ヘキセンを高収率かつ高選択率で得ることができる。
【００３２】
本発明においては、溶媒の不存在下、即ち、反応原料のα−オレフィンそのものを溶媒として低重合反応を実施することもできるが、通常は溶媒を用いる。溶媒としては、ブタン、ペンタン、ヘキサン、ヘプタン、シクロヘキサン、オクタン、メチルシクロヘキサン、デカリン等の炭素数１〜２０の鎖状または脂環式の飽和炭化水素、ベンゼン、トルエン、キシレン、メシチレン、テトラリン等の芳香族炭化水素、クロロホルム、四塩化炭素、ジクロロメタン、ジクロロエタン等の鎖状ハロゲン化炭化水素、クロロベンゼン、ジクロロベンゼン等のハロゲン化芳香族炭化水素等が用いられる。これらは単独で使用してもよく、また、２種以上の混合物として使用することもできる。
【００３３】
また、反応の主原料それ自体または主原料以外のα−オレフィンを溶媒として用いることもできる。溶媒用としては、４から３０の炭素数を有するα−オレフィンが使用されるが、常温で液状のものが特に好ましい。
これらの溶媒のうち、ブタン、ペンタン、ヘキサン、ヘプタン、シクロヘキサン等の炭素数４〜７の鎖状、あるいは脂環式の飽和炭化水素が好ましい。これらの溶媒を使用した場合には、高い触媒活性が得られるという利点がある。
【００３４】
本発明におけるクロム化合物の使用量は、溶媒１リットルあたりクロムとして１．０×１０-7〜０．５モル、好ましくは１．０×１０-6〜０．２モルである。特に１×１０-5〜０．０５モルが好ましい。一方、アルキルアルミニウム化合物の使用量は、クロム１モルにつき５０ミリモル以上である。通常はクロム１モルにつき０．１モル以上のアルキルアルミニウム化合物を用いるのが、活性、三量体の選択率を向上させるので好ましい。しかし、クロム１モルにつき１０4 モル以上のアルキルアルミニウム化合物を用いるのは、通常は無意味である。本発明においては、電子供与性溶媒中で製造したクロム含有化合物を用いる場合に比し、より少ないアルキルアルミニウム化合物の使用においても、得られる１−ヘキセンの純度が低下しないという特徴を持つ。
【００３５】
また、ハロゲン含有化合物の使用量は、クロム１モルにつき１ミリモル以上であるが、５０ミリモル以上を用いるのが好ましい。ハロゲン含有化合物の使用量の上限は特に無く、例えばハロゲン化炭化水素を溶媒とする反応系に、クロム含有化合物、アルキルアルミニウム化合物及びα−オレフィンを供給して反応を行なうことができる。
本発明によるα−オレフィン低重合の反応温度は０〜２５０℃であるが、好ましくは０〜２００℃であり、さらに好ましくは２０〜１５０℃である。反応圧力は常圧ないし２５０ｋｇ／ｃｍ2 であるが、１００ｋｇ／ｃｍ2 以下で十分である。エチレン、プロピレンのような常温で気体のα−オレフィンを用いる場合には、前述の如く加圧下、特に３．１ｋｇ／ｃｍ2 以上のα−オレフィン分圧下で反応を行なわせることが好ましい。反応時間は、１分から２０時間の範囲であるが、好ましくは０．５〜６時間の範囲とされる。反応形式は、回分式、半回分式、または連続式の何れであってもよい。なお反応系に水素を共存させると、副生するポリマーの性状が改善されるので好ましい。共存させる水素の量は、水素分圧として、通常、０．１〜１００ｋｇ／ｃｍ2 、好ましくは１．０〜８０ｋｇ／ｃｍ2 の範囲である。
【００３６】
副生ポリマーの分離除去は、公知の固液分離装置を使用して行うことができる。回収されたα−オレフィン低重合体は、必要に応じて精製される。精製には、通常、蒸留精製が採用され、目的とする成分を高純度で回収することができる。本発明においては、特に、エチレンから高純度の１−ヘキセンを工業的有利に製造することができる。
【００３７】
【実施例】
以下に、実施例および比較例により本発明を更に詳細に説明するが、本発明は、その要旨を越えない限り以下の実施例に限定されるものではない。
ナトリウム−２，５−ジメチルピロリドの製造
ＮａＨ９９ｍｇ（４．１５ｍｍｏｌ）のテトラヒドロフラン懸濁液１５ｍｌに、２，５−ジメチルピロール３７４ｍｇ（３．９４ｍｍｏｌ）を、窒素雰囲気下、室温で滴下した。反応混合物を２時間加熱還流した後、室温まで冷却した。未反応のＮａＨを濾過し、濾液を減圧下に留去して、ナトリウム−２，５−ジメチルピロリドを粉末として定量的に得た。
【００３８】
クロム含有化合物の製造（その１）
クロム（III)アセチルアセトナート４．６２ｇ（１３．２ｍｍｏｌ）のトルエン４０ｍｌ溶液に、窒素雰囲気下、粉末状のナトリウム−２，５−ジメチルピロリド５．１１ｇ（４３．６ｍｍｏｌ）のトルエン（５ｍｌ）懸濁液を室温にて加えた。反応混合物を５時間加熱還流したのち、反応混合物を室温まで冷却した。濾過して沈殿を除去し、濾液から溶媒を減圧下に留去して、オレンジ色から茶色の粉末２．６４ｇを取得した。この粉末のクロムの含有量は７．９（重量）％であった。
【００３９】
クロム含有化合物の製造（その２）
クロム（III)アセチルアセトナート４６３ｍｇ（１．３３ｍｍｏｌ）と、ナトリウムピロリドの粉末３５４ｍｇ（３．９７ｍｍｏｌ）とを、トルエン２０ｍｌ中に加え、５時間加熱還流した。反応混合物を室温まで冷却したのち、濾過して沈殿を除去し、濾液から溶媒を減圧下に留去して、クロム含有化合物を７４６ｍｇの収量で得た。この化合物のクロムの含有量は８．４（重量）％であった。
【００４０】
実施例１
１５０℃の乾燥器中で乾燥した３００ｍｌのオートクレーブを熱時に組み立て、真空窒素置換した。このオートクレーブに、３ｋｇ／ｃｍ2 の耐圧の破裂板を備えた触媒フィード管を取り付けた。シクロヘキサン１２０ｍｌ、トリエチルアルミニウム２３．２６ｍｇ（０．２ｍｍｏｌ）を含むトリエチルアルミニウムのシクロヘキサン溶液２ｍｌ、及び四塩化スズ０．０２７ｍｍｏｌを含む四塩化スズのシクロヘキサン溶液２ｍｌを、オートクレーブに仕込んだ。触媒フィード管には、クロム含有化合物の製造（その１）で得られたクロム含有化合物１０ｍｇをシクロヘキサン１ｍｌでスラリー化して仕込んだ。オートクレーブを８０℃に加熱し、エチレンを触媒フィード管に導入した。エチレン圧により破裂板が破裂し、エチレン及びクロム含有化合物と、トリエチルアルミニウム及びハロゲン含有化合物が接触し、エチレンの低重合が開始した。エチレンを全圧が３５ｋｇ／ｃｍ2 まで導入し、以後、全圧を３５ｋｇ／ｃｍ2 に、反応温度を８０℃に維持した。３０分後、エタノール圧入により反応を停止し、生成物をガスクロマトグラフで定量した。
【００４１】
全生成物は、５０．７８ｇであり、また、単位時間あたり、クロム１ｇあたりのオレフィンの生成量は１２８５５０ｇであった。生成オレフィンの分布は表−１に示したが、１−ヘキセンが主生成物であった。また、得られたヘキセン類に対する１−ヘキセンの純度は９８．９％であった。
【００４２】
実施例２
実施例１において、クロム含有化合物として、クロム含有化合物の製造（その１）で得られたクロム含有化合物を一年間保存したもの（目視では変色などは認められなかった）を用いた以外は、実施例１と同様に反応を行った。
全生成物は、４２．９３ｇであり、また、単位時間あたり、クロム１ｇあたりのオレフィンの生成量は１０８６８０ｇであった。生成オレフィンの分布は表−１に示したが、１−ヘキセンが主生成物であった。また、得られたヘキセン類に対する１−ヘキセンの純度は９９．４％であった。
【００４３】
実施例３
実施例１において、四塩化スズの代りに四塩化炭素０．０２７ｍｍｏｌを用いた以外は、実施例１と同様に反応を行った。
全生成物は、４８．９１ｇであり、また、単位時間あたり、クロム１ｇあたりのオレフィンの生成量は１２３８２２ｇであった。生成オレフィンの分布は表−１に示したが、１−ヘキセンが主生成物であった。また、得られたヘキセン類に対する１−ヘキセンの純度は９８．６％であった。
【００４４】
実施例４
実施例１において、クロム含有化合物として、クロム含有化合物の製造（その２）で得られたクロム含有化合物１０ｍｇを用い、かつ、トリエチルアルミニウムの量を０．２４２ｍｍｏｌ、四塩化スズの量を０．０３２ｍｍｏｌとする以外は、実施例１と同様に反応を行った。
全生成物は、２．５７ｇであり、また、単位時間あたり、クロム１ｇあたりのオレフィンの生成量は６１１６ｇであった。生成オレフィンの分布は表−１に示したが、１−ヘキセンが主生成物であった。また、得られたヘキセン類に対する１−ヘキセンの純度は９７．７％であった。
【００４５】
比較例１
オートクレーブに、シクロヘキサン１２０ｍｌ、蒸留した２，５−ジメチルピロール７．３７ｍｇ（０．０７７５ｍｍｏｌ）のヘプタン懸濁液、四塩化スズ１３．５ｍｇ（０．０５２ｍｍｏｌ）のヘプタン溶液、およびトリエチルアルミニウム４４．５ｍｇ（０．３９ｍｍｏｌ）のヘプタン溶液をこの順で仕込み、一方、触媒フィード管にクロム（III)２−エチルヘキサノエート１２．５ｍｇ（０．０２６ｍｍｏｌ）をヘプタン１ｍｌに溶解した溶液を仕込んだ以外は、実施例１と同様に反応を行った。
全生成物は、８４．９０ｇであり、クロム（III)２−エチルヘキサノエート１ｇあたりのオレフィン生成量は６７９２ｇであった。
また、単位時間あたり、クロム１ｇあたりのオレフィンの生成量は１２５８００ｇであった。生成オレフィンの分布は表−１に示したが、１−ヘキセンが主生成物であった。また、得られたヘキセン類に対する１−ヘキセンの純度は９９．５％であった。
【００４６】
比較例２
蒸留した２，５−ジメチルピロールの代りに、極微量の空気存在下、３０日間、遮光せずに保存してオレンジ色に変色し、かつオレンジ色の沈澱物が生成した２，５−ジメチルピロールを用いた以外は、比較例１と同様に反応を行った。
全生成物は、２０．８５ｇであり、クロム（III)２−エチルヘキサノエート１ｇあたりのオレフィン生成量は１６６８ｇであった。
また、単位時間あたり、クロム１ｇあたりのオレフィンの生成量は３０８８４ｇであった。生成オレフィンの分布は表−１に示したが、１−ヘキセンが主生成物であった。また、得られたヘキセン類に対する１−ヘキセンの純度は９８．８％であった。
【００４７】
【発明の効果】
本発明方法によれば、保存安定性の悪いピロール類の代りに、これをクロムと結合させて安定なクロム−ピロリル結合を有する化合物として触媒調製に用いるので、煩雑な操作なしで工業的有利に１−ヘキセン等のα−オレフィンの低重合物を安定に、高収率かつ高選択率で製造することができる。
【００４８】
【表１】
0003858294.tif 000002